(57)【要約】【課題】従来のエアーブラシに対して、技術と経験の必要な線を描く際の初期に操作杆を少し押しつつ少し引きながら、少しずつ引く操作を初心者でも容易に行なうことのできる機能を具備せしめる。【解決手段】エアーブラシ本体１に設けた操作杆６はその前面に下から上へ向けて傾斜しつつ突出する傾斜面６０を形成し、該傾斜面６０を上記エアーブラシ本体１の切欠口２１の前側縁２０ａに当接せしめ、操作杆６を押動せしめる操作初期において、操作杆６の傾斜面６０と切欠口２１の前側縁２０ａとが接触して摺動する範囲において、空気弁５を小量ずつ開弁させ、これと同時にニードル３を少量ずつ後退せしめるように構成したものであり、操作杆６を押すだけで線描きの初期操作をだれもが簡単に行なうことができる。【選択図】　図１
2004057839.tif 000002
【特許請求の範囲】
【請求項１】
先端にノズルを設けた略長筒形のエアーブラシ本体の軸芯部に沿って、同ノズルを開閉するニードルを軸方向へ進退可能に挿通し、上記エアーブラシ本体の内部に空気弁を介して供給される圧搾空気を上記ノズルから吹き出すように構成し、且つ、エアーブラシ本体の上面に設けた切欠口から同本体内部に操作杆を嵌入し、該操作杆の下端に枢支部を介して押し杆を屈曲自在に接続し、この押杆はエアーブラシ本体内に嵌入して上記操作杆と共に上下押動自在に支持し、その押杆の下端と、上記空気弁を開閉する弁杆の上端とを突き合わせ、上記操作杆の押し操作により弁杆を押動して空気弁を開弁せしめ、且つ同操作杆を後方へ傾動することにより、上記切欠口内に内装した係合体と連携してニードルを軸方向へ退動させ、ノズルに供給される塗料を圧搾空気の吹き出しにより噴霧するように構成したエアーブラシにおいて、
前記操作杆は前面に下から上へ向けて傾斜しつつ突出する傾斜面を形成し、この傾斜面を上記エアーブラシ本体の切欠口の前側縁部に当接せしめ、上記操作杆を押動せしめる操作初期において、同操作杆の傾斜面と切欠口の前側縁の接触部とが接触して摺動する範囲において、空気弁を小量ずつ開弁させ、これと同時にニードルを少量ずつ後退せしめるように構成したエアーブラシ。
【請求項２】
先端にノズルを設けた略長筒形のエアーブラシ本体の軸芯部に沿って、同ノズルを開閉するニードルを軸方向へ進退可能に挿通し、上記エアーブラシ本体の内部に空気弁を介して供給される圧搾空気を上記ノズルから吹き出すように構成し、且つ、エアーブラシ本体の上面に設けた切欠口から同本体内部に操作杆を嵌入し、該操作杆の下端に枢支部を介して押し杆を屈曲自在に接続し、この押杆はエアーブラシ本体内に嵌入して上記操作杆と共に上下押動自在に支持し、その押杆の下端と、上記空気弁を開閉する弁杆の上端とを突き合わせ、上記操作杆の押し操作により弁杆を押動して空気弁を開弁せしめ、且つ同操作杆を後方へ傾動することにより、上記切欠口内に内装した係合体と連携してニードルを軸方向へ退動させ、ノズルに供給される塗料を圧搾空気の吹き出しにより噴霧するように構成したエアーブラシにおいて、
前記操作杆は後側面に下から上へ向けて傾斜しつつ突出する傾斜面を形成し、この傾斜面をエアーブラシ本体の切欠口内に内装した係合体に当接せしめ、上記操作杆を押動せしめる操作初期において、同操作杆の傾斜面と切欠口内に内装した係合体とが接触して摺動する範囲において、空気弁を小量ずつ開弁させ、これと同時にニードルを少量ずつ後退せしめるように構成したエアーブラシ。
【請求項３】
先端にノズルを設けた略長筒形のエアーブラシ本体の軸芯部に沿って、同ノズルを開閉するニードルを軸方向へ進退可能に挿通し、上記エアーブラシ本体の内部に空気弁を介して供給される圧搾空気を上記ノズルから吹き出すように構成し、且つ、エアーブラシ本体の上面に設けた切欠口から同本体内部に操作杆を嵌入し、該操作杆の下端に枢支部を介して押し杆を屈曲自在に接続し、この押杆はエアーブラシ本体内に嵌入して上記操作杆と共に上下押動自在に支持し、その押杆の下端と、上記空気弁を開閉する弁杆の上端とを突き合わせ、上記操作杆の押し操作により弁杆を押動して空気弁を開弁せしめ、且つ同操作杆を後方へ傾動することにより、上記切欠口内に内装した係合体と連携してニードルを軸方向へ退動させ、ノズルに供給される塗料を圧搾空気の吹き出しにより噴霧するように構成したエアーブラシにおいて、
前記操作杆の前面側及び後面側に下から上へ向けて傾斜しつつ突出する傾斜面を各々形成し、これら傾斜面を上記エアーブラシ本体の切欠口の前側縁と、エアーブラシ本体の切欠口内に内装した係合体とに各々摺動可能に当接せしめ、上記操作杆を押動せしめる操作初期において、同操作杆の前後両傾斜面と上記両接触部とが接触して各々摺動する範囲において、空気弁を小量ずつ開弁させ、これと同時にニードルを少量ずつ後退せしめるように構成したエアーブラシ。
【請求項４】
上記操作杆を押した際に空気の噴出を塗料の供給に先行させ、且つ押していた操作杆を放す際に、空気の噴出を塗料の供給停止に対して遅延させるタイミングストロークを上記操作杆の傾斜面の下に設けて成る請求項１乃至３記載の何れか一項記載のエアーブラシ。
【発明の詳細な説明】
【０００１】
【発明の属する技術分野】
この発明はエアーブラシの吹き出し特性の改良に関し、さらに詳しくは、線の書き始めにおいて、ノズルから噴出される塗料を始点から所定幅の線に自然と移行するように吹き出し、さらに、所定幅の線から自然に先細りとなりつつ線を書き終えるエアーブラシの基本の操作を初心者でも容易に行なうことのできるエアーブラシを提供することにある。
【０００２】
【従来の技術】
図１１図１２は従来のエアーブラシ１００を示している。このエアーブラシ１００は、先端にノズル１０２を設けた略長筒状のエアーブラシ本体１０１を具備している。
また、エアーブラシ本体１０１内部の軸芯部に沿っては、ニードル１０３を進退自在に挿通してある。エアーブラシ１００は、エアーブラシ本体１０１の中間部に接続した空気供給口１０４に圧搾空気が供給され、この圧搾空気が空気弁１０５を介してエアーブラシ本体１０１内の通気路１１２に導入し、上記ノズル１０２から吹き出すように構成してある。尚、上記空気弁１０５は、弁杆１０５ａを押すことにより開弁する構造となっている。
【０００３】
エアーブラシ１００は、エアーブラシ本体１０１上面の中間部に切欠形成した切欠口１２１に操作杆１０６を嵌装している。この嵌装杆１０６の下端部には、枢軸１０７を介して押し杆１０８を屈曲自在に接続してある。押杆１０８はエアーブラシ本体１０１内に穿設した挿通孔１０９に挿嵌し、これにより、押杆１０８が操作杆１０６と共に軸方向へ摺動するように支持してある。また、上記押杆１０８の先端部は、空気弁１０５の弁杆１０５ａの先端に当接してある。尚、上記操作杆１０６の上端には指を載せるための操作ボタン１０６ａを設けてある。
【０００４】
一方、空気供給口となる接続筒１１０内には弁杆１０５ａを内装し、コイルスプリング１１１の付勢力により上方へ向けて常時付勢し、これにより、上記弁杆１０５ａの上端部が押杆１０８の先端に当接した状態（閉弁状態）を維持する（図１１，図１２）。
【０００５】
使用者が上記エアーブラシ１００の操作杆１０６を押し下げると、押杆１０８を介して弁杆１０５ａが押し下げられ、空気弁１０５が開弁する。すると、上記接続筒１１０に接続される圧搾空気の供給源から圧搾空気がエアーブラシ本体１０１内へ供給され、通気路１１２を通過してノズル１０２から噴出することになる。
ところで、使用者が上記した如く押し下げた操作杆１０６をそのまま後方へ引き、枢軸１０７を支点として傾動させると、ニードルチャック１１３に掴持されるニードル１０３が後退し、塗料用の容器１１２から供給される塗料が圧搾空気の噴出により霧化して噴霧される。ちなみに、上記したように操作杆１０６を押してから引く操作をダブルアクションと呼んでおり、このダブルアクションがエアーブラシを使用する際の基本操作となっている。
【０００６】
【発明が解決しようとする課題】
上記したような従来のエアーブラシ１００を使用して細線を描く際には、操作杆１０６を少し押し下げてノズル１０２からエアーを吹き出し、次いで同操作杆１０６を押したまま少し引くことで少量の塗料をノズル１０２に供給し、始点から徐々に幅の広くなる線を書くことになる。即ち、上述したようにエアーブラシの基本操作となるダブルアクションである。尚、上記した状態からさらに操作杆を引くことにより塗料の吹き出しが増えて太線を描くことができる。
【０００７】
このように、エアーブラシ１００を使用して線を描く場合、操作杆１０６をほんの少し押しながら同操作杆１０６を少しだけ引くことにより、線の書き出しは始点から徐々に太くなり一定の太さの線となる。しかし、操作杆１０６を少しずつおしながら同操作杆１０６を少しずつ引く操作はベテランでも集中力を必要とする操作である。
よって、エアーブラシを使用したことが無い人、若しくは初心者にあっては、上記した操作杆の操作をスムースに行なうことは困難であり、最初は操作杆の押し具合や引き具合の加減が分からないので、大抵の場合、書き始めにおいて塗料が一挙に出てしまって失敗してしまう。
エアーブラシの操作杆の操作は練習を重ねることにより徐々に上手くなるが、初心者が最初に失敗してしまうと、エアーブラシの使用は非常に難しいものであると思えてしまう。その結果、エアーブラシの使用に苦手意識が生じたり、エアーブラシの使用自体（エアーブラシを使用して作品を描くこと）をあきらめてしまう場合さえもある。
【０００８】
一方、上記した如く操作杆を操作する際には、最初にエアーを吹き出してから塗料を出し始める。これが逆になるとノズルに塗料が溜まってからエアーで吹き飛ばすので線の始点で塗料が一挙に噴出して失敗してしまう。
また、線を書いた後では、塗料を止めてからエアーの吹き出しを止める。これが反対になると、エアーの吹き出しが止まってからノズルに塗料が残ることになり、次回の吹き出しの際にノズルに残った塗料が一挙に吹き出されてしまうことになる。
【０００９】
本発明の目的は、上記したような従来のエアーブラシに対して、技術と経験の必要な線を描く際の初期に操作杆を少し引きながら（エアーを出しながら）、少しずつ引く（塗料を出す）操作を初心者でも容易に行なうことのできる機能を具備せしめる。
【００１０】
【課題を解決するための手段】
上記した課題を解決するために本発明のエアーブラシは、先端にノズルを設けたエアーブラシ本体の軸芯部に沿って、ニードルを軸方向へ進退可能に挿通し、このニードルの進退によりノズルから出る塗料の量を調節する。
また、エアーブラシ本体の内部には空気弁を設け、この弁を通過して供給される圧搾空気が上記ノズルから吹き出すことになる。エアーブラシ本体に設けた切欠口には操作杆を嵌入し、この操作杆の下端に設けた枢支部を介して押し杆を屈曲自在に接続する。この押杆はエアーブラシ本体内に嵌入し、上記操作杆と共に上下押動自在に支持してある。
上記した押杆の下端と、空気弁を開閉する弁杆の上端とは突き合わせてあるので、操作杆を押し操作することにより、弁杆を押動して空気弁を開弁せしめ、圧搾空気をノズルへ供給する。ノズルへ供給する空気の量、即ち吹き出し量は上記操作杆の押し量に略比例する。
一方、上記した操作杆を後方へ傾動すると、エアーブラシ本体の切欠口内に内装した係合体と連携してニードルを退動させる。ニードルの退動により、ノズルが開き、エアーの吹き出しに伴って供給された塗料が噴霧される。
【００１１】
ところで、前記操作杆の前面側には下から上へ向けて傾斜しながら突出する傾斜面が形成してある。そしてこの傾斜面は、エアーブラシ本体切欠口の前側縁の当接部に当接する。
操作杆を押動せしめる操作初期において、同操作杆の傾斜面と切欠口の前側縁に設けた接触部とが接触して摺動する範囲において、空気弁を押して少しずつ開弁させ、これと同時にニードルを少しずつ後退せしめる。
即ち、使用者は操作初期において、操作杆を少し押すだけの操作で、ノズルから噴出する空気の量とノズルに供給される塗料の量をゼロから少しずつ増大させ、従来ではベテランのテクニックとされていた始点から自然に拡がる線の美しさを初心者でも少しの練習で簡単に表現することができる。
【００１２】
請求項２記載のエアーブラシの要旨は、エアーブラシ本体の切欠口に嵌入した操作杆には後面に下から上へ向けて傾斜しつつ突出する傾斜面を形成してある。
この傾斜面はエアーブラシ本体の切欠口内に内装した係合体に当接せしめてある。
上記した操作杆を押動せしめる操作初期において、操作杆後側の傾斜面と切欠口内に内装した係合体とが接触して摺動する範囲にある時、空気弁を押して少しずつ開弁させ、これと同時にニードルを少しずつ後退せしめる。
これにより、使用者は操作初期において、操作杆を少し押すだけの操作で、ノズルから噴出する空気の量と、同ノズルに供給される塗料の量をゼロから少しずつ増大し、今まではベテランのテクニックとされていた始点から自然に拡がる線の美しさを初心者でも表現することができるようになった。
【００１３】
請求項３記載のエアーブラシの要旨は、エアーブラシ本体の切欠口に嵌入した操作杆の前面と後面とに下から上へ向けて傾斜しつつ突出する傾斜面を各々形成してある。この操作杆前側の傾斜面と切欠口の前側縁接触部、及び切欠口に嵌装した係合体とを各々当接せしめてある。
使用者は、操作杆を押動せしめる操作初期において、操作杆前側の傾斜面と切欠口の前側縁接触部、及び切欠口に嵌装した係合体とを各々接触して摺動する範囲にある時、空気弁を押して少量ずつ開弁させ、同時にニードルを少量ずつ後退せしめることになる。
これにより、使用者は操作初期において、操作杆を少し押すだけの操作で、ノズルから噴出する空気の量と、同ノズルに供給される塗料の量をゼロから少しずつ増大し、始点から自然に拡がる線の美しさを表現できる。
【００１４】
請求項４記載のエアーブラシは、上記した操作杆における傾斜面の下部に、操作杆を押した際に空気の噴出を塗料の供給に先行させ、且つ押していた操作杆を放す際に、空気の噴出を塗料の供給停止に対して遅延させるタイミングストロークを設けたものである。よって、操作杆を押した際にその操作の初期において上記タイミングストロークの範囲で空気の吹き出しが先行し、その後塗料が噴出する。このように塗料の供給を空気の噴出よりも遅らせることにより、ノズルに溜まった塗料が空気により一挙に吹き飛ばされる現象を防止できる。
また、塗料の吹き出しを止める際には、塗料の供給が停止した後、タイミングストロークによる遅延によりノズルへの塗料の供給の停止した後、一瞬の遅れをもって空気の吹き出しが停止する。これにより、ノズルに塗料が残ることがなくなり、次回の使用にてノズルに残った塗料が一挙に吹き出すこともない。
【００１５】
【発明の実施の形態】
以下、本発明の一実施例を図面に基づいて説明する。
図１及び図３にて示すエアーブラシは、略円筒形に形成されるエアーブラシ本体１の先端に圧搾空気及び液体塗料の吹き出し部となるノズル２を設けると共に、上記エアーブラシ本体１の軸芯部に沿って上記ノズル２を任意に開閉するニードル３を進退摺動自在に挿通してある。
そして、上記操作杆６を押して引く操作によりニードル３を退動させることで、エアーブラシ本体１前部に取り付けた容器１２から供給される液体塗料を、後述する空気弁５を通過して供給された圧搾空気と共にノズル２から吹き出して噴霧するように構成してある。
【００１６】
上記エアーブラシ本体１の中間部には、圧搾空気供給ホースｄの接続口となる接続筒４を螺合接続し、該接続筒４内に空気弁５を内設してある。
空気弁５は、弁体５ｂを一体に具備する弁杆５ａを下方へ向けて押動させることにより、上記弁体５ｂが弁座５ｃから離間して開弁する。上記空気弁５の開弁により、空気供給口となる接続筒４の下端口からエアーブラシ本体１内へ向けて圧搾空気が流入し、同本体１内に設けた通気路１１を通過してノズル２から吹き出すように構成してある。
【００１７】
また、上記空気弁５の弁杆５ａは弁体５ｂの下面側に弾装されるコイルスプリング５ｄにより常時上方、即ち閉弁側へ向けて付勢してある。これにより、上記弁杆５ａの上側の先端はエアーブラシ本体１の中央下部に一体成形した二股部１ａ内の軸芯部において上方へ向けて突出した状態を維持する（図３）。
【００１８】
一方、上記弁杆５ａの延長線上に対応するエアーブラシ本体１中央部の上部には切欠口２１を切欠形成し、この切欠口２１に操作杆６を嵌入して押動可能に装着してある。
操作杆６は基端となる上端部に指を掛ける操作ボタン６ａを設けると共に、嵌挿先端となる下端部に枢軸７を介して押杆８の上端を接続してある。
【００１９】
図２にて示すように、操作杆６の下部６ｂは幾分小径に形成し、ニードル３を貫通させるため二股状に分岐させた形で形成してある。そして、側面視略半円形に丸めた分岐部分の下部同士間に、押杆８の上部を嵌入した状態で枢軸７となるピンを挿通することにより、これら両部材６，８の接続部が枢軸７を介して屈曲するように構成してある。
【００２０】
押杆８は、エアーブラシ本体１の二股部１ａの軸芯部に穿設した挿通孔９に対して摺動自在に嵌挿する軸体である。挿通孔９内には気密用のパッキン９ｃを嵌装してある。また、押杆８は挿通孔９に対して上端側から嵌挿し、その下端を前記した弁杆５ａの先端部に当接してある。よって、通常時、押杆８及び操作杆６は、弁杆５ａにより下から支えられる。そして、使用時には、操作杆６をコイルスプリング５ｄによる付勢力に抗しながら押し下げて空気弁５を開弁する（図４）。
【００２１】
また、操作杆６を押し下げると、押杆８は挿通孔９の内部に押し込まれ、円弧状に丸めた操作杆下部６ｂの先端部が、挿通孔９上側端の周囲に形成した端面９ａに当接して、操作杆６がそれ以上押せない状態となる（図５）。
【００２２】
よって、使用者が操作杆６の操作ボタン６ａを押すと、操作杆６の先端に接続した押杆８、及びこの押杆８の先端に当接する弁杆５ａが下方へ押され、これにより、弁体５ｂが弁座５ｃから離れて空気弁５が開弁する。
空気弁５が開弁すると、空気供給口４に接続した圧搾空気供給ホースｄから供給される圧搾空気がエアーブラシ本体１内の通気路１１に導入され、ノズル２から吹き出される。尚、通常の使用においては、上記した操作杆６を最下部まで押し下げて空気の吹き出しが最大になる状態を維持することが多い。
【００２３】
また、塗料を噴出させるには、押し下げた操作杆６を後方へ引いて枢軸７を支点にして後方へ必要量傾動させる。操作杆６の傾動を受けて略Ｓ形に屈曲する作動板１３が傾動し、ニードル３を掴持するチャック１４が後退する。そして、ニードル３が後退することで、ノズル２に向けて所望量の塗料が供給され、既に吹き出している圧搾空気の吹き出しにより霧化してノズル２から吹き出て噴霧されることになる。
即ち、線を描く際には操作杆６の押し量と引き量を加減することにより線の太さや色の濃淡を調節することになる。
尚、上記したように、操作杆６を下げてから後方へ引く操作をダブルアクションと呼んでいる。
【００２４】
以上説明したエアーブラシは通常のエアーブラシと同様な構造であると言ってよい。本発明のエアーブラシは上記した操作杆６に特長がある。
図２及び図３にて示すように、操作杆６の前面には、傾斜面６０が形成してある。傾斜面は操作杆６前面の中間部位に形成し、下から上へ向けて傾斜しつつ突出するように形成してある（図３）。
【００２５】
上記した傾斜面６０は操作杆６の中心線ｇを基準として１１゜の傾斜角度（ｅ１）で傾斜してあり、操作杆６を押した際にその表面が切欠口２１の前側縁２０ａに当接して摺動することになる。本実施例のエアーブラシでは、傾斜面６０の上下方向の長さを略１．５ｍｍ〜２．５ｍｍ（ｆ１）に設定してある。また、操作杆６を装着した状態において切欠口２１の前側縁２０ａとの接触部ｐとなる部位は、上記傾斜面６０の下端よりも０．３〜０．５ｍｍ（タイミングストロークｆ２）程下の位置となるように設定してある（図３）。尚、傾斜面６０長さ（ｆ１）＋（タイミングストロークｆ２）＝押し下げストローク（ｆ）の関係がある。
【００２６】
上記した如く構成したエアーブラシを使用する際には、操作杆６の上端に取り付けた操作ボタン６ａの上に軽く人差し指を載せ、そっと押し下げる。すると操作杆６の前面と切欠口２１前側縁２０ａとの接触部ｐはタイミングストロークｆ２（０．５ｍｍ）分降下した後、接触部ｐは上記傾斜面６０の下端に移動し、そのまま同傾斜面６０の最上部まで摺動する。
つまり、操作杆６は押動操作初期においてタイミングストロークｆ２（０．５ｍｍ）分下げられて最初に空気のみが噴出する。次いで接触部ｐが傾斜面６０の下端部６０ａから傾斜面６０上に移動すると、同傾斜面６０の突出量に比例して操作杆６が後方へ押されている（図５）。これにより、操作杆６は枢軸７を支点として後方に少しずつ後退し（自動的に引かれる）ニードル３の後退に伴ってごく微小な塗料の噴出が開始されそれが徐々に太くなって目的の線の太さとなる。
【００２７】
反対に押していた操作杆６を戻す最には接触部ｐが傾斜面６０の上端から下へ移動し、それが下端部６０ａに到達するとニードル３が最前移動してまず塗料の供給が止められる。そして接触部ｐが下端部６０ａからタイミングストロークｆ２分下がることで空気の噴出が止められる。
【００２８】
上記したように、本発明のエアーブラシにおいては、従来ではベテランのみが行なっていたテクニック。即ち操作杆６を少し押し下げながらすこし引き込む噴霧操作初期のテクニックをエアーブラシ本体１上部の操作杆６をストロークｆ分だけ軽く押し下げるだけで誰もが容易に使うことができるようになった。
上記したように操作杆６をストロークｆ分押し下げて、接触部ｐが傾斜面６０の最上部まで移動すると空気の供給は略最大となり、この状態から操作杆６を後方へ引き込むと塗料の供給量が増大して描く線の太さを任意に調節することができる。
一方、線を描くのを止める最には、引き込んでいた操作杆６を戻し、押していたボタン６ａから指を離すことにより、まず塗料の噴出が止められ、その直後に空気の噴出が止められる。
【００２９】
上述した如く塗料を噴出する際には空気を噴出させてから塗料をノズルに供給する。反対に塗料の噴出を止める際には、塗料の供給を止めてから空気の噴出を止めるように構成する。これは重要なことであり、操作杆６の傾斜６０の直ぐ下にタイミングストロークｆ２を設けることにより可能となる。
即ち、タイミングストロークを確保することで、ノズルに溜まった塗料が吹き始めの空気の噴出により一挙に飛び出す不具合を防止することができる。また、前回の使用でノズルに溜まった塗料が次の使用時において空気の吹き出しと共に一挙に飛び出す不具合を確実に解消できる。
【００３０】
次に図６にて示すエアーブラシについて説明する。このエアーブラシは、図１にて示したエアーブラシと同様に構成してあるが、操作杆６の後側面に前記したものと同様な傾斜面６１を形成してある。この傾斜面６１は切欠口２１の内部に内装した作動板１３の上部前面と接触するように構成してある。
このエアーブラシの機能は前記したものと同様であり、操作杆６をタイミングストロークｆ２の分押し下げた後、同操作杆６傾斜面６１と作動板１３との接触部ｐが同傾斜面６１の下部から上部に移行し、さらに同傾斜面６１上を傾斜面の長さｆ１分摺動した時点で操作杆６の押動操作が止まり、ノズル２に供給される空気も略最大となる。
この状態から操作杆６を引き込むことにより同操作杆６の後面により作動板１３が後方へ傾動し、チャック１４を介してニードルが後退する。これにより、ノズル２に供給する塗料を調節し、任意太さの線を描くことができる。
【００３１】
一方、押していた操作杆６を戻す最には、作動板１３と作動杆６との接触部ｐが傾斜面６１の上端から下へ移動し、それが下端部６０ａに到達するとニードル３が前方へ移動してまず塗料の供給が止められる。次いで接触部ｐが下端部６０ａからタイミングストロークｆ２分下がることで空気の噴出が止められる。
以上のように、エアーブラシは図１にて示したものと同様に機能するが、接触部ｐが面接触となるので、操作杆６を引き込む際や同操作杆６を押し込む時に作動板１３と傾斜面６１がスムースに摺動し、操作杆６の操作性が向上する。
【００３２】
次に図７にて示すエアーブラシについて説明する。このエアーブラシも、図１及び図６にて示したエアーブラシと同様に構成してあるが、操作杆６の前面と後面とに傾斜面６２，６２’を形成したことに特長がある。
この前後の両傾斜面６２，６２’は、切欠口２１の前側縁２０ａと、同切欠口２１の内部に内装した作動板１３の上端とに各々接触するように構成してある。
このエアーブラシは、操作杆６の前後両面に傾斜面６２，６２’を形成すると共に、後方の傾斜面６２’を前方の傾斜面６２よりも幾分高い位置にずらした状態で構成してある（図７部分拡大図）。
よって、上記した操作杆６をタイミングストロークｆ２の分押し下げると、その過程で空気弁５が少しずつ開弁してノズル２へ向けて徐々に空気が供給される。
同操作杆６の接触部ｐが傾斜面６２の下端部に上に移行し、両傾斜面６２上をストロークｆ１分摺動した時点で操作杆６の押動操作が止まる。一方、後方の傾斜６２’は前記したように傾斜６２よりも幾分（ｆ２分）上方へずれた状態で構成してある。よって、操作杆６前面側の傾斜面６２が先行して降下し、その後ｆ２’分のストローク分遅れを持って傾斜面６２’が操作板１３の上端縁部に当接して同操作板１３を後方へ傾動させる。
よって、操作杆６を押すとまず前側の傾斜面６２が切欠口の前側縁２１（ｐ）と接触する。引き続き操作杆６がストロークｆ２’分押し下げられると、後方の傾斜面６２’が操作板１３の上端部の縁に当接する。その当接部が傾斜面６２’上に移行すると操作杆６の後方への傾動が前後両傾斜面６２，６２’を足した距離となるため、操作杆６の押動に対するニードル３の引き量を増大することができる。
また、操作杆６を押動する際には同操作杆６は前後から押圧される状態となる。これにより、上記エアーブラシは操作杆６の初期の押動が大変スムースとなり、操作杆１３のがたつき等も防止できる。さらに操作杆６の押動初期における後方への引きストロークを十分に確保できるようになる。
一方、上記した如く操作杆６をストロークｆ分押し下げた状態はノズル２に供給される空気が略最大と成った状態である。この状態から操作杆６を引き込むことにより同操作杆６の後面により作動板１３が後方へ傾動し、チャック１４を介してニードルを後退させる。このように操作杆６の操作により、ノズル２に供給する塗料を調節して任意太さの線を描くことができる。
尚、後側の傾斜面６２’に操作杆１３の上端が接触するタイミングを遅らせる手段として、操作杆１３先端縁の前側部位を円弧状に形成することにより、上記したように後方の傾斜面６２’を上方へずらした場合と同様に機能する。
また、操作杆の前後面に設ける傾斜面の位置に差を設けることは任意であり、前後両傾斜面を同じレベルに合わせ配置してもよい。
【００３３】
押していた操作杆６を元に戻すには、操作杆６を元の位置に戻し、その操作杆６から指をゆっくりと離す。この際、切欠口２１の前側縁２０ａと作動杆６との接触部ｐと、作動板１３と操作杆６との接触部ｐとが両傾斜面６２の上端から下へ移動する。両接触部ｐが下端部６０ａに到達するとニードル３が前方へ移動し、最初に塗料の供給が止められる。次いで、接触部ｐが下端部６０ａからタイミングストロークｆ２分下がることで空気の噴出が止められる。
上記したエアーブラシは、操作杆６の前後両面に傾斜面６２を設け、この両傾斜面６２を切欠口２１の前側板２０ａと作動板１３とに接触させて噴出初期の塗料の吹き出し制御するものであるから、操作杆６の押し量に比較してニードルの前後移動量を増大できる特性を有する。尚、上記した操作杆６傾斜面の角度は任意に変更してもよい。
【００３４】
図８は従来のエアーブラシと本発明のエアーブラシとの線画の比較である。この線画は殆どエアーブラシを持ったことのない初心者により描かれたものである。図８−ａは操作杆の押し具合が分からないので吹き始めにおいて一挙に塗料を吹いてしまい、花火のような始点となっている。また、塗料の供給が多すぎてつけまつげのようなパターンになってしまっているものもある。失敗の典型的なパターンである。
図８−ｂは図８−ａを描いた初心者が図８−ａを描いた直後に書いたものである。線画の始点が少し太くなっているが、比較的綺麗な線画となっている。
同じ初心者でもこのような差がでることが不思議に思える程である。
【００３５】
図９は従来のエアーブラシと本発明のエアーブラシとの点画の比較である。この点画も初心者により描かれたものである。図９−ａは点の吹き出しと共に余分な塗料が噴出して点の周囲に塗料の飛び散りができてしまっている。
一方、図９ｂは同じ初心者が本発明のエアーブラシを用いて描いた点画のパターンである。点の周囲に飛び散る部分が殆ど無く、ベテランと殆ど変わらないパターンである。
【００３６】
図１０はエアーブラシを使い慣れた人が描いた線画である。良く見ると始端から線が自然と太くなり、また自然と線画細くなって終端にて綺麗に消えている。本発明のエアーブラシをベテランが使用すると使い易さが増したエアーブラシとなり、従来よりも高いレベルでの描画が可能となる。
【００３７】
尚、上記した操作杆に設ける傾斜面の角度や位置，長さ等は任意に変更してもよい。また、上述したタイミングストロークについてもその長さを変更することは任意である。また、操作杆に設ける傾斜面は上記した傾斜面６０，６１，６２のように平面的に形成してもよいが、滑らかに変化する曲線にて構成してもよい。
【００３８】
【発明の効果】
以上説明したように、本発明のエアーブラシは、エアーブラシ本体に設けた操作杆の前面側において下から上へ向けて傾斜しつつ突出する傾斜面を形成してある。また、この傾斜面は、エアーブラシ本体の切欠口の前側縁に設けた接触部に当接してある。したがって、操作杆を押動せしめる噴出操作の初期に、同操作杆の傾斜面と切欠口の前側縁に設けた接触部とが接触しつつ摺動する範囲において、その傾斜を利用してニードルを少量ずつ後退させると共に、空気弁を押して少しずつ開弁することにより、噴出初期の一連の動作を半自動的に行なうことができる。その結果、使用者は操作初期において、操作杆を少しずつ押すだけで、ノズルから噴出する空気の量とノズルに供給される塗料の量をゼロから少しずつ増加させ、吹き付けの初期に塗料が一挙に噴出する失敗を回避できる。
よって、従来ではベテランのテクニックであった始点から自然に拡がるの線の美しさを初心者でも表現することができるようになった。また、ベテランにとっては、使いやすくなったエアーブラシを使用して高度なテクニックを駆使してより高度な線を描くことができるようになる。
【００３９】
請求項２記載のエアーブラシは、エアーブラシ本体の切欠口に嵌入した操作杆の後側面に下から上へ向けて傾斜しつつ突出する傾斜面を形成し、この傾斜面をエアーブラシ本体の切欠口内に内装した係合体に当接せしめてある。
よって、操作杆を押動せしめる操作初期において、操作杆後側の傾斜面と切欠口内部に装着した係合体とが接触して摺動する範囲にある時、その傾斜面の傾斜を利用してニードルを少しずつ後退せしめると共に、空気弁を押して少しずつ開弁するものである。
これにより、使用者は操作杆の操作初期において、操作杆を少し押すだけで、ノズルから噴出する空気量とノズルに供給される塗料の量とをゼロの状態から少しずつ増大させ、吹き出しの最初にノズルから塗料が一挙に噴出する失敗を回避することができる。また、初心者であってもベテランと同様に、始点から自然に拡がる美しい線を描くことができる。
【００４０】
請求項３記載のエアーブラシは、エアーブラシ本体の切欠口に嵌入した操作杆の前側と後側とに下から上へ向けて傾斜しつつ突出する傾斜面を各々形成してある。そして、この操作杆前側の傾斜面と切欠口前側縁の接触部、及び操作杆後側の傾斜面と切欠口に嵌装した係合体とを各々当接せしめてある。
したがって、操作杆を押動せしめる操作初期において、操作杆前側の傾斜面と切欠口の前側縁接触部、及び操作杆後側の傾斜面と切欠口内に装着した係合体とが各々に接触して摺動する範囲にある時、この前後両傾斜面の傾斜を利用してニードルを少量ずつ後退させ、これと同時に空気弁を少しずつ押して少量ずつ開弁するように構成したものである。
その結果、使用者は操作杆の操作初期において、操作杆を少し押すだけの操作で、ノズルから噴出する空気量とノズルに供給される塗料の量とをゼロの状態から少しずつ増大させ、吹き出しの最初にノズルから塗料が一挙に噴出する失敗を回避することができる。これと共に、初心者であってもベテランと同様に始点から自然に拡がる美しい線を描くことができるようになった。
【００４１】
請求項４記載のエアーブラシは、上記した操作杆における傾斜面の直ぐ下に、操作杆を押した際に空気の噴出を塗料の供給に先行させ、且つ押していた操作杆を放す際に、空気の噴出を塗料の供給停止に対して遅延させるタイミングストロークを設けたものである。よって、操作杆を押した際にその操作の初期において上記タイミングストロークの範囲で空気の吹き出しが塗料の供給よりも先行する。
このように、塗料の供給が空気の噴出よりも後になると、ノズルに供給されて溜まった塗料が空気により一挙に吹き飛ばされて失敗する不具合を防止できる。一方、塗料の吹き出しを止める際には、塗料の供給が停止した後、上記したタイミングストロークによる遅延により、少しの遅れをもって空気の吹き出しが停止する。この結果、ノズルに塗料が残ることがなくなり、次回の使用にてノズルに残った塗料が一挙に吹き出ること防止することができる。
【図面の簡単な説明】
【図１】本発明を実施したエアーブラシを示す従断側面図。
【図２】同エアーブラシの操作杆を示す斜視図。
【図３】操作杆を少し押した状態のエアーブラシの操作杆部分を示す縦断側面図。
【図４】同エアーブラシの操作杆部分を示す縦断面図であり、操作杆を中間まで押した状態を示す。
【図５】同エアーブラシの操作杆部分を示す縦断面図であり、操作杆を下端まで押した状態を示す。
【図６】傾斜面を操作杆の後側に設けたエアーブラシの操作杆部分を示す縦断面図。
【図７】傾斜面を操作杆の前側と後路側とに設けたエアーブラシの操作杆部分を示す縦断面図。
【図８】本発明のエアーブラシと従来のエアーブラシを使用して描いた線画の比較。
【図９】本発明のエアーブラシと従来のエアーブラシを使用して比較した点画の比較。
【図１０】本発明のエアーブラシにて描いた曲線。
【図１１】従来のエアーブラシを示す縦断面図。
【図１２】同エアーブラシの操作杆部分を示す縦断面図。
【符号の説明】
ｅ・・・傾斜角（傾斜面）
ｆ・・・押し下げストローク
ｆ１・・・傾斜面の長さ
ｆ２・・・タイミングストローク
ｐ・・・接触部
１・・・エアーブラシ本体
２・・・ノズル
３・・・ニードル
５・・・空気弁
５ａ・・・弁杆
６・・・操作杆
６ａ・・・操作ボタン
７・・・枢軸
８・・・押杆
１３・・・作動板（係合体）
２０・・・切欠口
２０ａ・・・前側縁
６０・・・傾斜面（前側）
６０ａ・・・下端部（傾斜面）
６１・・・傾斜面（後側）
６２・・・傾斜面（前側，後側）
【図１】
2004057839.tif 000003
【図２】
2004057839.tif 000004
【図３】
2004057839.tif 000005
【図４】
2004057839.tif 000006
【図５】
2004057839.tif 000007
【図６】
2004057839.tif 000008
【図７】
2004057839.tif 000009
【図８】
2004057839.tif 000010
【図９】
2004057839.tif 000011
【図１０】
2004057839.tif 000012
【図１１】
2004057839.tif 000013
【図１２】
2004057839.tif 000014